(57)【要約】【課題】  テレビ放送などのＮＴＳＣ信号の画像とＮＴＳＣ信号の画像上にＮＴＳＣ信号の画像以外の画像を重ね合わせるとき、少ない信号線で適切な同期を取る表示制御装置を提供すること。【解決手段】  ナビゲーション装置は、テレビ放送の画像上にナビゲーションの処理に使用するスイッチの画像を重ね合わせて表示する。フレームメモリ１４は、テレビ放送のＮＴＳＣ信号をフレーム単位で格納する。スイッチの画像は、ＲＧＢ信号として出力され、ＧＶＩＦ（登録商標）規格により伝送される。ディスプレイ制御部１５は、ＮＴＳＣ信号の水平同期信号ＨＰとＲＧＢ信号の水平同期信号ＨＰとに基づき、ＮＴＳＣ信号とＲＧＢ信号のずれ時間量を検出し、検出したずれ時間分、フレームメモリ１４からのＮＴＳＣ信号の出力を遅らせる。表示コントローラ１２は、フレームメモリ１４からのＮＴＳＣ信号による画像上にＲＧＢ信号による画像を重ね合わせて表示するように制御する。【選択図】        図１
2007279505.tif 000002
【特許請求の範囲】
【請求項１】
表示制御装置であって、
ＮＴＳＣ信号を取得するＮＴＳＣ信号取得手段と、
前記ＮＴＳＣ信号による画像上に重ね合わせる画像の画像信号を取得する画像信号取得手段と、
前記ＮＴＳＣ信号取得手段により取得したＮＴＳＣ信号をフレーム単位で格納するフレームメモリ手段と、
前記ＮＴＳＣ信号の同期信号と前記画像信号の同期信号とに基づき、前記ＮＴＳＣ信号と前記画像信号のずれ量を検出する検出手段と、
前記検出手段により検出されたずれ量に基づき、前記フレームメモリ手段の出力を制御する制御手段と、
前記画像信号取得手段により取得した画像信号と前記フレームメモリ手段から出力するＮＴＳＣ信号とに基づき、前記ＮＴＳＣ信号による画像上に前記画像信号による画像を重ね合わせて表示するよう制御する表示制御手段とを備えることを特徴とする表示制御装置。
【請求項２】
請求項１に記載の表示制御装置において、
前記検出手段は、前記画像信号の前記ＮＴＳＣ信号からの遅れ時間を前記ずれ量として検出し、
前記制御手段は、前記検出手段により検出された遅れ時間分、前記フレームメモリ手段からの前記ＮＴＳＣ信号の出力を遅らせるように制御することを特徴とする表示制御装置。
【請求項３】
請求項１または２に記載の表示制御装置において、
前記画像信号はＲＧＢ信号であることを特徴とする表示制御装置。
【発明の詳細な説明】
【技術分野】
【０００１】
本発明は、表示制御装置に関する。
【背景技術】
【０００２】
テレビ放送を受信する機能を有する車載用ナビゲーション装置が知られている（特許文献１参照）。テレビ放送の画像上にナビゲーションに関係するスイッチなどを表示するとき、テレビ放送の画像とスイッチの画像を適切に同期を取る必要がある。このような同期を取るために、従来、ＮＴＳＣ信号から水平同期信号や垂直同期信号を抽出し、抽出した水平同期信号や垂直同期信号をスイッチの画像を生成する回路に送信していた。
【０００３】
【特許文献１】特開２００５−５１３２７号公報
【発明の開示】
【発明が解決しようとする課題】
【０００４】
しかし、抽出した水平同期信号や垂直同期信号をスイッチの画像を生成する回路に送信するためには、水平同期信号や垂直同期信号のための信号線が必要であり、インターフェースが簡素化できないという問題があった。
【０００５】
本発明は、テレビ放送などのＮＴＳＣ信号の画像とＮＴＳＣ信号の画像上にＮＴＳＣ信号の画像以外の画像を重ね合わせるとき、少ない信号線で適切な同期を取る表示制御装置を提供する。
【課題を解決するための手段】
【０００６】
請求項１の発明は、表示制御装置に適用され、ＮＴＳＣ信号を取得するＮＴＳＣ信号取得手段と、ＮＴＳＣ信号による画像上に重ね合わせる画像の画像信号を取得する画像信号取得手段と、ＮＴＳＣ信号取得手段により取得したＮＴＳＣ信号をフレーム単位で格納するフレームメモリ手段と、ＮＴＳＣ信号の同期信号と画像信号の同期信号とに基づき、ＮＴＳＣ信号と画像信号のずれ量を検出する検出手段と、検出手段により検出されたずれ量に基づき、フレームメモリ手段の出力を制御する制御手段と、画像信号取得手段により取得した画像信号とフレームメモリ手段から出力するＮＴＳＣ信号とに基づき、ＮＴＳＣ信号による画像上に画像信号による画像を重ね合わせて表示するよう制御する表示制御手段とを備えることを特徴とするものである。
請求項２の発明は、請求項１に記載の表示制御装置において、検出手段は、画像信号のＮＴＳＣ信号からの遅れ時間をずれ量として検出し、制御手段は、検出手段により検出された遅れ時間分、フレームメモリ手段からのＮＴＳＣ信号の出力を遅らせるように制御することを特徴とするものである。
請求項３の発明は、請求項１または２に記載の表示制御装置において、画像信号はＲＧＢ信号であることを特徴とするものである。
【発明の効果】
【０００７】
本発明は、以上説明したように構成しているので、ＮＴＳＣ信号の画像とＮＴＳＣ信号の画像上にＮＴＳＣ信号の画像以外の画像を重ね合わせるとき、少ない信号線で適切に同期を取ることができる。
【発明を実施するための最良の形態】
【０００８】
図１は、本発明の表示制御装置の一実施の形態であるナビゲーション装置の構成を示す図である。ナビゲーション装置は、制御ユニット１００およびディスプレイユニット２００からなる。制御ユニット１００は、制御装置１、現在地検出装置２、ハードディスク３、入力装置４、トランシーバ５、テレビ受信装置６などからなる。ディスプレイユニット２００は、液晶パネル１１、表示コントローラ１２、レシーバ１３、フレームメモリ１４、ディスプレイ制御部１５、同期分離回路１６などからなる。
【０００９】
制御装置１は、不図示のＲＯＭに格納されたプログラムを実行することによりナビゲーション装置全体を制御し、マイクロプロセッサおよびその周辺回路から構成される。現在地検出装置２は、例えば車両の進行方位を検出する方位センサ、車速を検出する車速センサ、ＧＰＳ（Global Positioning System）衛星からのＧＰＳ信号を検出するＧＰＳセンサ等から成り、ナビゲーションに使用する車両の現在地を検出する。
【００１０】
ハードディスク３は、ナビゲーション処理に使用する地図データなど各種の情報を格納する。入力装置４は、ナビゲーション処理において車両の目的地等を入力したり、各種メニューの選択のために操作される各種スイッチを有し、例えばリモコンで構成される。トランシーバ５は、制御装置１が生成した画像信号であるＲＧＢ信号をディスプレイユニット２００へ送信するトランシーバである。ＲＧＢ信号は、ドット単位にＲ（赤）Ｇ（緑）Ｂ（青）の色情報を有する信号である。例えば、ＶＧＡ規格の画像などを伝送する。
【００１１】
テレビ受信装置６は、テレビ放送を受信してテレビ放送の映像信号であるＮＴＳＣ信号を出力する。すなわち、ＮＴＳＣ（National Television System Committee）規格による信号を出力する。ＮＴＳＣ信号は、５２５本の走査線を持ち、１秒間に３０フレームを表示する信号である。ＮＴＳＣ信号は、走査線により画面上に画像（映像）を表示する信号である。
【００１２】
ディスプレイユニット２００では、制御ユニット１００から送信されてくるナビゲーションの画像（ＲＧＢ信号による画像）やテレビ放送の画像（ＮＴＳＣ信号による画像）などを液晶パネル１１に表示する。表示の形態としては、ナビゲーションの画像のみを表示する場合、テレビ放送の画像のみを表示する場合、テレビ放送の画像にナビゲーションの画像を重ね合わせて表示する場合などがある。
【００１３】
なお、本実施の形態では、制御装置１からトランシーバ５、トランシーバ５からレシーバ１３、レシーバ１３から表示コントローラ１２の信号の規格は、ＧＶＩＦ（登録商標）規格に基づくものである。制御装置１からトランシーバ５、レシーバ１３から表示コントローラ１２間の信号は、ＲＧＢ各６ビット合計１８ビットのＲＧＢ信号と、水平同期信号ＨＰ、垂直同期信号ＶＰ、スーパーインポーズ信号Ｙｓからなる。各トランシーバ５およびレシーバ１３には、ＣＬＫ（クロック）が入力される。トランシーバ５からレシーバ１３間は、１対の差動信号からなり、上記１８ビットのＲＧＢ信号と、水平同期信号ＨＰ、垂直同期信号ＶＰ、スーパーインポーズ信号Ｙｓが、ＧＶＩＦ規格によりシリアル伝送される。
【００１４】
ナビゲーションの画像のみを表示する場合は、制御装置１は、生成した１８ビットのＲＧＢ信号を、水平同期信号ＨＰ、垂直同期信号ＶＰとともに、トランシーバ５を介してディスプレイユニット２００のレシーバ１３に送信する。トランシーバ５はパラレルトゥシリアル変換をし、レシーバ１３はシリアルトゥパラレル変換をする。
【００１５】
レシーバ１３から出力された１８ビットのＲＧＢ信号、水平同期信号ＨＰ、垂直同期信号ＶＰは、表示コントローラ１２へ入力され、表示コントローラ１２は、１８ビットのＲＧＢ信号に基づく画像を液晶パネル１１に表示する。このとき、表示コントローラ１２へはＮＴＳＣ信号は入力されていない。
【００１６】
制御装置１は、ナビゲーション処理プログラムを実行し、各種のナビゲーション処理を行う。例えば、現在地検出装置２により車両の現在地を検出し、ハードディスク３に格納された地図データを使用して検出した現在地近辺の道路地図を液晶パネル１１に表示する。また、車両の現在地から入力装置４を使用して指示された目的地までの経路探索を行い、経路探索された推奨経路に沿って経路誘導を行ったりする。
【００１７】
このような場合、制御装置１は、現在地近辺の道路地図や現在地マークなどの画像信号をＲＧＢ信号として生成し、トランシーバ５を介してディスプレイユニット２００へ送信する。ディスプレイユニット２００では、このようにして送信されてきがＲＧＢ信号によるナビゲーションの画像のみが、液晶パネル１１に表示される。
【００１８】
テレビ放送の画像（映像）のみを表示する場合は、テレビ受信装置６から出力されたＮＴＳＣ信号が同期分離回路１６で取得され、同期分離回路１６を経てフレームメモリ１４にフレーム単位に格納される。フレームメモリ１４へは、同期信号も含むコンポジット信号であるＮＴＳＣ信号が出力される。フレームメモリ１４は、フレーム単位に格納されたテレビ放送の画像信号を表示コントローラ１２へ出力し、表示コントローラ１２は、ＮＴＳＣ信号に基づくテレビ放送の画像を液晶パネル１１に表示する。このとき、表示コントローラ１２へはＲＧＢ信号は入力されていない。
【００１９】
次に、本発明の特徴であるテレビ放送の画像にナビゲーションの画像を重ね合わせて表示する場合について説明する。ここでいうナビゲーションの画像とは、テレビ放送の画像を隠さないようにテレビ放送の画像上に重ね合わす画像であり、例えば、「メニュー」のスイッチやその他のスイッチなどの画像のことである。図２は、液晶パネル１１に、風景２１を映すテレビ放送の画像が表示され、左上にメニュースイッチ２２の画像が表示されている例を示す図である。メニュースイッチ２２を入力装置４で選択操作すると、ナビゲーションのメニュー画面に移行する。
【００２０】
風景２１は、ＮＴＳＣ信号による画像であり、メニュースイッチ２２は、ＲＧＢ信号による画像である。図２のような画像（画面）を表示する場合、従来の技術では、ＲＧＢ信号をＮＴＳＣ信号と同期を取った状態でディスプレイユニットに送信していた。そのため、ＮＴＳＣ信号から水平同期信号ＨＰや垂直同期信号ＶＰを抽出して、抽出した水平同期信号ＨＰと垂直同期信号ＶＰをＲＧＢ信号を生成する回路に入力していた。
【００２１】
しかし、本実施の形態では、ＮＴＳＣ信号とＲＧＢ信号との同期を、ディスプレイユニット２００内部で取るようにしたものである。これにより、水平同期信号ＨＰおよび垂直同期信号ＶＰをＲＧＢ信号を生成する回路に入力する信号線が不要となり、回路構成やインタフェースが簡単となる。特に、ＮＴＳＣ信号から水平同期信号ＨＰおよび垂直同期信号ＶＰを抽出する回路が図１のディスプレイユニット２００側に設けられるような場合、水平同期信号ＨＰおよび垂直同期信号ＶＰを制御ユニット１００の制御装置１へ送信するための信号線が少なくとも２本必要となっていたが、それが不要となる。
【００２２】
図１を参照してさらに説明をする。同期分離回路１６はＮＴＳＣ信号からＮＴＳＣ信号の水平同期信号ＨＰおよび垂直同期信号ＶＰを分離してディスプレイ制御部１５に入力する。また、レシーバ１３は、ＲＧＢ信号とともに送信されてきたＲＧＢ信号の水平同期信号ＨＰおよび垂直同期信号ＶＰをディスプレイ制御部１５に入力する。
【００２３】
ディスプレイ制御部１５は、同期分離回路１６から送信されてきたＮＴＳＣ信号の水平同期信号ＨＰおよび垂直同期信号ＶＰと、レシーバ１３から送信されてきたＲＧＢ信号の水平同期信号ＨＰおよび垂直同期信号ＶＰとに基づき、ＮＴＳＣ信号とＲＧＢ信号のずれを検出する。例えば、ＮＴＳＣ信号の水平同期信号ＨＰが入力されると所定のクロックによるカウンタのカウントを開始し、ＲＧＢ信号の水平同期信号ＨＰが入力されるとカウンタを停止して、そのカウント値を取得するようにすればよい。ディスプレイ制御部１５は、マイクロプロセッサおよびその周辺回路から構成され、不図示のＲＯＭに格納されたプログラムを実行することによりこれらの処理を行う。
【００２４】
ＮＴＳＣ信号は、フレームメモリ１４にフレーム単位に格納される。ディスプレイ制御部１５は、前述のようにして取得したＮＴＳＣ信号とＲＧＢ信号のずれ量に基づき、フレームメモリ１４に格納されたＮＴＳＣ信号の出力を制御する。具体的には、前述したようにＲＧＢ信号がＮＴＳＣ信号からずれている時間（遅れている時間）を取得し、その時間分フレームメモリ１４の出力を遅らせＮＴＳＣ信号にディレーを持たせる。
【００２５】
一方、制御ユニット１００の制御装置１は、テレビ放送の画像に重ね合わせるためのナビゲーションの画像信号をＲＧＢ信号として出力する。図２の例では、液晶パネル１１の画面上の左上の位置に「メニュー」のスイッチを表示させるような画像信号をＲＧＢ信号として出力する。液晶パネル１１上で重ね合わせるべき位置は、スーパーインポーズ信号Ｙｓにより指定される。
【００２６】
制御装置１から出力されたＲＧＢ信号、水平同期信号ＨＰ、垂直同期信号ＶＰ、およびスーパーインポーズ信号Ｙｓは、トランシーバ５およびレシーバ１３を介して表示コントローラ１２に入力される。表示コントローラ１２は、フレームメモリ１４から出力されるＮＴＳＣ信号によるテレビの画像上に、ＲＧＢ信号の画像をスーパーインポーズ信号Ｙｓにより指定される位置に重ね合わせる。このとき、ＲＧＢ信号とＮＴＳＣ信号は同期が取られているので、テレビの画像の所望の位置にメニュースイッチの画像が表示される。
【００２７】
以上説明した本実施の形態のナビゲーション装置は、次のようなすぐれた効果を奏する。
（１）ＮＴＳＣ信号をフレームメモリ１４に格納するので、フレームメモリ１４からの出力を制御できる。そのため、ＮＴＳＣ信号とＲＧＢ信号のずれ時間分フレームメモリ１４から出力されるＮＴＳＣ信号をずらせば、ＮＴＳＣ信号とＲＧＢ信号の同期を取ることができる。その結果、ＮＴＳＣ信号から分離した水平同期信号ＨＰや垂直同期信号ＶＰを制御装置１へ送信する信号線が不要となり、回路構成やインターフェースが簡素化できるようになった。
（２）特に、ＧＶＩＦ（登録商標）規格により信号を送信する場合、１対の信号線（２本の電線）だけでＲＧＢ信号を送信する。このような少ない信号線でデータの伝送をする場合に、水平同期信号ＨＰや垂直同期信号ＶＰのための２本の信号線が不要になるのは、回路構成上やインターフェースを簡素化するために非常にメリットがある。
【００２８】
上記の実施の形態では、テレビの映像信号としてＮＴＳＣ信号の例を説明をしたが、必ずしもこの内容に限定する必要はない。例えば、ＰＡＬ（Phase Alternating Line）方式による信号であってもよい。すなわち、水平同期信号や垂直同期信号を有する走査線による信号方式であればどのようなものでもよい。
【００２９】
上記の実施の形態では、テレビ放送の画像（映像）をＮＴＳＣ信号により表示する例を説明をしたが、必ずしもこの内容に限定する必要はない。例えば、ＤＶＤプレーヤからの画像（映像）であってもよい。また、車両に搭載されたリアビューカメラやサイドビューカメラからの画像（映像）であってもよい。すなわち、ＮＴＳＣ信号により表示する画像であれば、どのようなものでもよい。もちろん、この場合も、ＮＴＳＣ方式以外の走査線による信号であってもよい。
【００３０】
上記の実施の形態では、ＲＧＢ信号としてＶＧＡ規格の画像を送信する例を説明をしたが、必ずしもこの内容に限定する必要はない。例えば、ＳＶＧＡやＸＧＡなど他の規格であってもよい。
【００３１】
上記では、種々の実施の形態および変形例を説明したが、本発明はこれらの内容に限定されるものではない。本発明の技術的思想の範囲内で考えられるその他の態様も本発明の範囲内に含まれる。
【００３２】
以下、請求項の構成要素と上記実施の形態の構成要素との対応付けについて説明する。本発明の表示制御装置はナビゲーション装置あるいはディスプレイユニット２００に対応し、ＮＴＳＣ信号取得手段は同期分離回路１６に対応し、画像信号取得手段はレシーバ１３に対応し、フレームメモリ手段はフレームメモリ１４に対応し、検出手段と制御手段はディスプレイ制御部１５に対応し、表示制御手段は表示コントローラ１２に対応する。なお、この対応付けの説明はあくまで一例であり、本発明はこの対応付けに限定して解釈されるものではない。
【図面の簡単な説明】
【００３３】
【図１】本発明の表示制御装置の一実施の形態であるナビゲーション装置の構成を示す図である。
【図２】液晶パネル１１に、風景２１を映すテレビ放送の画像が表示され、左上にメニュースイッチ２２の画像が表示されている例を示す図である。
【符号の説明】
【００３４】
１  制御装置
２  現在地検出装置
３  ハードディスク
４  入力装置
５  トランシーバ
６  テレビ受信装置
１１  液晶パネル
１２  表示コントローラ
１３  レシーバ
１４  フレームメモリ
１５  ディスプレイ制御部
１６  同期分離回路
１００  制御ユニット
２００  ディスプレイユニット
【図１】
2007279505.tif 000003
【図２】
2007279505.tif 000004